(57)【要約】【課題】簡単に製造でき、精度良く取り付けできるホースガイドを提供する。【解決手段】筐体３内部のホース収容部５に消火用ホース７を内巻きに収納し、前記筐体３の前面に設けた前傾扉１０を開いて、前記消火用ホース７を引き出す消火栓装置１において、前方に倒れる方向に開放する前記前傾扉１０の背面１０aに、前記消火用ホース７を挿通させる渦巻き形状のホースガイド１８を設ける。【選択図】  図２
2011212263.tif 000002
【特許請求の範囲】
【請求項１】
筐体内部のホース収容部に消火用ホースを内巻きに収納し、前記筐体の前面に設けた前傾扉を開いて、前記消火用ホースを引き出す消火栓装置において、    
前方に倒れる方向に開放する前記前傾扉の背面に、前記消火用ホースを挿通させる渦巻き形状のホースガイドを設けたことを特徴とする消火栓装置。
【請求項２】
前記ホースガイドの一巻き毎の間隔は、消火用ホースの直径より大きいことを特徴とする請求項１記載の消火栓装置。
【請求項３】
前記ホースガイドの中央部に、消火用ホースを係止する保持部が位置していることを特徴とする請求項１、又は、２記載の消火栓装置。
【請求項４】
前記ホースガイドの挿入口が、該ホースガイドの下側、又は、上側に設けられていることを特徴とする請求項１、２、又は、３記載の消火栓装置。
【発明の詳細な説明】
【技術分野】
【０００１】
この発明は、トンネル等に配設され、消火に使用される消火栓装置に関するものであり、更に述べると、消火栓装置のホースガイドに関するものである。
【背景技術】
【０００２】
従来の高速道路などのトンネルには、消火栓装置が配設されている。この消火栓装置の筐体内にはホース収容部が設けられ、該筐体の前面には前傾扉が設けられている。前記ホース収容部に収納される消火用ホースは、内巻き式であり、外側から内側に至るように順次巻き付けて収納されている。
【０００３】
前記消火栓装置では、作業者が消火用ホースを引き出すと、その引っ張る力に加え、消火用ホースの自重によりホース収容部から落下する力が加わる。
特に、前記消火用ホースに消火用水が供給されている場合には、前記消火用ホースの落下する力が大きくなる。そのため、前記消火用ホースが作業者の意に反して飛び出してしまい、消火作業に支障をきたすことがある。
【０００４】
そこで、前記問題の解決を図るため、前傾扉の内側に、２本の逆J字型のホースガイドを組み合わせ、このホースガイドに消火用ホースを挿通させている（例えば、特許文献１、参照）。この従来例のホースガイドは、前記消火用ホースが飛び出すのを防止するとともに、消火後、引き出した消火用ホースをホース収容部に収納するために、該消火用ホースを取り外す際には，該ホースガイドを取り外すことなく、ホースガイドから消火用ホースを容易に取り外せるようにしたものがある
【先行技術文献】
【特許文献】
【０００５】
【特許文献１】特開２００８−４８２号公報
【発明の概要】
【発明が解決しようとする課題】
【０００６】
従来例では、２本のホースガイドを組み合わせる必要があり、製造時における取付け作業が増えるので、面倒であり、取付け作業効率が良くない。又、２つのホースガイドを精度良く配設しないと、消火用ホースが引っかり、作業者の意図した様に消火用ホースを引き出すことおよびホースガイドから消火用ホースを取り外すことができなくなることがある。
【０００７】
この発明は、上記事情に鑑み、簡単に製造でき、精度良く取り付けできるホースガイドを提供することを目的とする。
【課題を解決するための手段】
【０００８】
この発明は、筐体内部のホース収容部に消火用ホースを内巻きに収納し、前記筐体の前面に設けた前傾扉を開いて、前記消火用ホースを引き出す消火栓装置において、前方に倒れる方向に開放する前記前傾扉の背面に、前記消火用ホースを挿通させる渦巻き形状のホースガイドを設けたことを特徴とする。
【０００９】
この発明の前記ホースガイドの一巻き毎の間隔は、消火用ホースの直径より大きいことを特徴とする。この発明の前記ホースガイドの中央部に、消火用ホースを係止する保持部が設けられていることを特徴とする。この発明の前記ホースガイドの挿入口が、該ホースガイドの下側、又は、上側に設けられていることを特徴とする。
【発明の効果】
【００１０】
この発明は、以上のように構成したので、ホースガイドは１つの部材で形成することができる。そのため、精度良く取り付け易く、又、製造工程も１つですむので、製造が容易である。そして、１つの部材で形成されることによって、従来例のように、消火用ホースが引っかかり、作業者の意図した様に引き出すことおよびホースガイドから消火用ホースを取り外すことが、できなくなることはない。
【図面の簡単な説明】
【００１１】
【図１】本発明の実施形態を示すホースガイドの正面図である。
【図２】消火用ホースを保持した状態を示すホースガイドの斜視図である。
【図３】消火栓装置の使用状態を示す斜視図である。
【発明を実施するための形態】
【００１２】
この発明の実施形態を図１〜図３により説明する。
消火栓装置１の筐体３内には、ホース収容部５が設けられ、該ホース収容部５には、消火用ホース７が内巻き式、即ち、外側から内側に至るように順次巻き付けて収納されている。
【００１３】
前記筐体３には、該筐体３の前面を開閉する前傾扉１０が設けられている。前記前傾扉１０の背面（内側）１０ａには、消火栓弁を開閉するレバー１２と、消火用ホース７のノズル１４を保持するノズルホルダ１６と、消火用ホース7の移動を規制するホースガイド１８と、が設けられている。
また、図示は省略するが、消火用ホース７に消火水を供給するための消火栓弁や配管等も備えている。なお、前記ホースガイド１８は、前傾扉１０を閉じたときには、ホース収容部５の開口部５ａに収納される。
【００１４】
前記ホースガイド１８は、パイプ等の部材を曲げて渦巻き形状、即ち、渦を巻くような、旋回するにつれて中心から遠ざかる二次元曲線となる様に、同一平面上に形成されている。前記ホースガイド１８は、１．５回転以上巻くようにすると、消火用ホース７が外れにくくて良い。
【００１５】
前記ホースガイド１８の先端部１８ａは、円弧状に形成され、該ホースガイド18の略中央部に位置しているが、消火用ホース７を係止する保持部として機能する。前記先端部（保持部）１８ａの断面半径は、消火用ホース７との接触抵抗を調整するため、該消火用ホース７の曲率半径より大きく形成され、又、前記保持部１８ａの円弧の大きさは、消火用ホース７が外れるのを防止するため、該消火用ホース７の外周の半分以上を包囲できる大きさに形成されている。前記保持部１８ａの曲率半径及び円弧の大きさは、必要に応じて適宜選択される。
【００１６】
前記ホースガイド１８のホース通路２２、即ち、一巻き毎の間隔ｄは、消火用ホース７の直径Ｄより大きく形成されている。前記ホース通路２２の挿通口２２ａは、ホースガイド１８の下側に位置している。
【００１７】
この発明の実施形態の作動について説明する。
火災発生の際、作業者は、前傾扉１０を手前に引いて筐体３の前面を開放し、その背面１０ａを露出させる。その後、レバー１２を引いて消火栓弁を開放させるとともに、ノズル１４を掴んでノズルホルダ１６から外し、消火用ホースに消火水を供給した状態で消火用ホース７を引っ張りながら火源に向かう。
【００１８】
この時、作業者が消火用ホース７を引き出すと、その引っ張る力に加え、消火用ホース７の自重によりホース収容部５から落下する力、及び消火水の圧力によって、ホース収容部５の内部から開口部５ａに向かって真っ直ぐ伸びようとして、引き出した以上に開口部５ａから飛び出そうとする力、が加わる。そのため、前記消火用ホース７は、ホース収容部５から飛び出そうとするが、前記消火用ホース７は、ホースガイド１８に保持されているので、摩擦抵抗を受ける。従って、前記消火用ホース７は、飛び出しを規制されるので、過度に引き出されるのを防止することができる。
【００１９】
消火作業終了後等に、消火用ホース７をホース収容部５に収納するために、消火用ホース７をホースガイド１８から外すときには、先端部（保持部）１８ａに保持されている消火用ホース７を手で握り、ホース通路２２を通して挿入口２２ａから取り出せば良いので、簡単に取り外すことができる。
【００２０】
このホースガイド１８は、一つの部材で渦巻き型に形成されるので、製造が簡単であるとともに、前傾扉１０の背面１０ａに取り付けるときに、他の部材との位置調整等が必要ないため、精度良く取り付けることができる。又、前述のように、このホースガイド１８では、消火用ホース７の着脱を簡単に行うことができる。そして、１つの部材で形成されることによって、従来例のように、消火用ホースが引っかかり、作業者の意図した様に引き出すことおよびホースガイドから消火用ホースを取り外すことが、できなくなることはない。
【００２１】
この発明の実施形態は、上記に限定されるものではなく、例えば、次の様にしても良い。
（１）ホースガイド１８を前傾扉１０に設ける代わりに、筐体３、例えば、ホース収容部５の開口部５ａの開口縁５ｂ等に設けること。
【００２２】
（２）消火用ホース７の抜け出し防止のため、前記ホース通路２２の挿入口２２ａの大きさを前記直径Ｄより少し小さく形成する。この場合、消火用ホース７をホース通路２２に挿入する際に、前記挿入口２２ａを少し大きくしなければならないが、パイプ等の部材は、弾性変形し容易に拡径するか、或いは、消火用ホースの外面がつぶれるので、挿入しにくくなることはない。
【００２３】
（３）ホースガイド１８を円形状の渦巻き型にする代わりに、四角形状、又は、三角形状の渦巻き型としても良い。
（４）ホースガイド１８の渦巻き数は、必要に応じて適宜選択されるが、例えば、一巻きにし、略「の」字状にしても良い。
（５）前記ホースガイド１８の挿入口２２ａを、該ホースガイド１８の下側に設ける代わりに、その上側に設ける様にしても良い。この様にすると、ホースガイド１８の上側から消火用ホース７の着脱を行うことができる。
【符号の説明】
【００２４】
１    消火栓装置
３    筐体
７    消火用ホース
１０  前傾扉
１８  ホースガイド
２２  ホース通路
【図１】
2011212263.tif 000003
【図２】
2011212263.tif 000004
【図３】
2011212263.tif 000005